(57)【要約】【課題】出版物の物流倉庫における出庫作業の効率化だけではなく、物流システム全体の効率化も可能にするピッキングリスト作成システム、ピッキングリスト作成方法及びピッキングリスト作成プログラムを提供する。【解決手段】ＣＰＵに受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求めるステップと、当該換算冊数の総和と所定の閾値との大小関係を比較するステップと、前記換算冊数の総和が当該閾値より大の場合には判定対象の受注明細データ単独での荷造り指示を表示させるステップとを実行させる。【選択図】        図１
2004161479.tif 000002
【特許請求の範囲】
【請求項１】
出版社、取次店との間で通信可能にネットワーク回線に接続されたメインＣＰＵと、
当該ＣＰＵとデータ送受信可能に接続され取次店からの注文出版物の書誌情報と注文部数情報とを含む特定書店向け受注明細データが格納される受注データベースと、出版社から提供される出版物の書誌情報と科目データとの組み合せデータを有する書誌データが格納される書誌マスタと、出版物の科目ごとの係数データが格納された基準冊数テーブルと、所定の閾値データが格納された出庫マスタとが格納されているメモリと、
前記ＣＰＵからデータ受信してピッキングリストを出力する出力装置とを備え、
前記ＣＰＵは、前記受注データベースに格納された１受注明細データ内の注文出版物の書誌情報から前記書誌マスタに格納された種目データを特定し、その科目データに基いて前記基準冊数テーブルに格納された係数データを特定し、その係数データと前記注文出版物の注文部数とを乗じて換算冊数を算出し、当該１受注明細データ内の換算冊数の総和を求めさせ、当該換算冊数の総和と前記出庫マスタに格納された所定の閾値との大小関係を比較し、換算冊数の総和が当該閾値より大の場合に判定対象の受注明細データ単独での荷造り指示を前記出力装置に表示させることを特徴とするピッキングリスト作成システム。
【請求項２】
出版社、取次店との間で通信可能にネットワーク回線に接続されたメインＣＰＵと、
当該ＣＰＵとデータ送受信可能に接続され取次店からの注文出版物の書誌情報と注文部数情報とを含む特定書店向け受注明細データが格納される受注データベースと、注文出版物の搬入先となる取次店データが格納される搬入先マスタと、書店データと取次店からの当該書店への発送ルートデータが格納された書店マスタと、出版社から提供される出版物の書誌情報と科目データとの組み合せデータを有する書誌データが格納される書誌マスタと、出版物の科目ごとの係数データが格納された基準冊数テーブルと、所定の閾値データが格納された出庫マスタとが格納されているメモリと、
前記ＣＰＵからデータ受信してピッキングリストを出力する出力装置とを備え、
前記ＣＰＵは、前記受注データベースに格納された１受注明細データ内の注文出版物の書誌情報から前記書誌マスタに格納された種目データを特定し、その科目データに基いて前記基準冊数テーブルに格納された係数データを特定し、その係数データと前記注文出版物の注文部数とを乗じて換算冊数を算出し、１受注明細データ内の換算冊数の総和を求めさせ、当該換算冊数の総和と前記所定の閾値との大小関係を比較し、換算冊数の総和が当該閾値より大の場合には大口受注と判定し、換算冊数の総和が当該閾値以下の場合には小口受注と判定させ、前記受注明細データに前記受注判定データと所定データとをヘッダ情報として付加した出庫データを生成させ、前記出庫データが複数集合してなる出庫データ群について、それぞれの出庫データのヘッダ情報に格納された前記受注判定データから、大口受注の出庫データ群と小口受注の出庫データ群とに区分し、前記大口受注に区分された出庫データ群について前記所定データをキーに前記出庫データ群をソートし、前記大口受注に区分された出庫データ群について前記ソート処理後の出庫データの順番で、出庫データの所定項目内容をピッキングリストとして前記出力装置に表示させることを特徴とするピッキングリスト作成システム。
【請求項３】
出版社、取次店との間で通信可能にネットワーク回線に接続されたメインＣＰＵと、
当該ＣＰＵとデータ送受信可能に接続され取次店からの注文出版物の書誌情報と注文部数情報とを含む特定書店向け受注明細データが格納される受注データベースと、注文出版物の搬入先となる取次店データが格納される搬入先マスタと、書店データと取次店からの当該書店への発送ルートデータが格納された書店マスタと、出版社から提供される出版物の書誌情報と科目データとの組み合せデータを有する書誌データが格納される書誌マスタと、出版物の科目ごとの係数データが格納された基準冊数テーブルと、所定の閾値データが格納された出庫マスタとが格納されているメモリと、
前記ＣＰＵからデータ受信してピッキングリストを出力する出力装置とを備え、
前記ＣＰＵは、前記受注データベースに格納された短冊出力ありの注文出版物データを含む大口受注の受注明細データに、注文してきた取次店データと短冊出力一部有無データとをヘッダ情報として付加した出庫データを生成し、前記出庫データが複数集合してなる出庫データ群について、それぞれの出庫データのヘッダ情報に格納された短冊出力一部ありをキーに前記出庫データ群をソートし、それぞれの出庫データのヘッダ情報に格納された取次店データをキーに前記出庫データ群をソートし、前記出庫データ群についてソート処理後の出庫データの順番で、出庫データの所定項目内容をピッキングリストとして前記出力装置に表示させることを特徴とするピッキングリスト作成システム。
【請求項４】
取次店からの注文出版物の書誌情報とその注文出版物の注文部数情報とを含む特定書店向け受注明細データを利用して、物流倉庫の在庫出版物の中から取次店別で前記注文出版物のピックアップを指示するピッキングリスト作成方法において、
前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求めるステップと、
当該換算冊数の総和と所定の閾値との大小関係を比較するステップと、
前記換算冊数の総和が当該閾値より大の場合には判定対象の受注明細データ単独での荷造り指示を表示させるステップとを有することを特徴とするピッキングリスト作成方法。
【請求項５】
取次店からの注文出版物の書誌情報とその注文出版物の注文部数情報とを含む特定書店向け受注明細データを利用して、物流倉庫の在庫出版物の中から取次店別で前記注文出版物のピックアップを指示するピッキングリスト作成方法において、
前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求める換算冊数演算ステップと、
前記換算冊数の総和と所定の閾値との大小関係を比較し、換算冊数の総和が当該閾値より大の場合には大口受注と判定し、換算冊数の総和が当該閾値以下の場合には小口受注と判定する受注判定ステップと、
前記受注明細データに前記受注判定データと所定データとをヘッダ情報として付加した出庫データを生成する出庫データ生成ステップと、
前記出庫データが複数集合してなる出庫データ群について、それぞれの出庫データのヘッダ情報に格納された前記受注判定データから、大口受注の出庫データ群と小口受注の出庫データ群とに区分するステップと、
前記大口受注に区分された出庫データ群について前記所定データをキーに前記出庫データ群をソートするソート処理ステップと、
前記大口受注に区分された出庫データ群について前記ソート処理後の出庫データの順番で、出庫データの所定項目内容をピッキングリストとして出力する出力ステップとを有することを特徴とするピッキングリスト作成方法。
【請求項６】
取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリスト作成方法において、
前記特定書店からの客注品がある場合、前記取次店を経由してそのまま当該特定書店に配送される荷物となる受注明細データに短冊出力ありの注文出版物データを追加して入力するステップと、
前記受注明細データに、注文してきた取次店データと短冊出力一部有無データとをヘッダ情報として付加した出庫データを生成する出庫データ生成ステップと、
前記出庫データが複数集合してなる出庫データ群について、それぞれの出庫データのヘッダ情報に格納された短冊出力一部ありをキーに前記出庫データ群をソートする第１ソート処理ステップと、
それぞれの出庫データのヘッダ情報に格納された取次店データをキーに前記出庫データ群をソートする第２ソート処理ステップと、
前記出庫データ群について第２ソート処理後の出庫データの順番で、出庫データの所定項目内容をピッキングリストとして出力する出力ステップとを有することを特徴とするピッキングリスト作成方法。
【請求項７】
ＣＰＵに取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリストを作成させるピッキングリスト作成プログラムにおいて、
前記ＣＰＵに、前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求めるステップと、
当該換算冊数の総和と所定の閾値との大小関係を比較するステップと、
前記換算冊数の総和が当該閾値より大の場合には判定対象の受注明細データ単独での荷造り指示を表示させるステップとを実行させることを特徴とするピッキングリスト作成プログラム。
【請求項８】
ＣＰＵに取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリストを作成させるピッキングリスト作成プログラムにおいて、
前記ＣＰＵに、前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求める換算冊数演算ステップと、
前記換算冊数の総和と所定の閾値との大小関係を比較し、換算冊数の総和が当該閾値より大の場合には大口受注と判定し、換算冊数の総和が当該閾値以下の場合には小口受注と判定する受注判定ステップと、
前記受注明細データに前記受注判定データと所定データとをヘッダ情報として付加した出庫データを生成する出庫データ生成ステップと、
前記出庫データが複数集合してなる出庫データ群について、それぞれの出庫データのヘッダ情報に格納された前記受注判定データから、大口受注の出庫データ群と小口受注の出庫データ群とに区分するステップと、
前記大口受注に区分された出庫データ群について前記所定データをキーに前記出庫データ群をソートするソート処理ステップと、
前記大口受注に区分された出庫データ群について前記ソート処理後の出庫データの順番で、出庫データの所定項目内容をピッキングリストとして出力する出力ステップとを実行させることを特徴とするピッキングリスト作成プログラム。
【請求項９】
ＣＰＵに取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリストを作成させるピッキングリスト作成プログラムにおいて、
前記ＣＰＵに、短冊出力ありの注文出版物データを含む大口受注の受注明細データに、注文してきた取次店データと短冊出力一部有無データとをヘッダ情報として付加した出庫データを生成する出庫データ生成ステップと、
前記出庫データが複数集合してなる出庫データ群について、それぞれの出庫データのヘッダ情報に格納された短冊出力一部ありをキーに前記出庫データ群をソートする第１ソート処理ステップと、
それぞれの出庫データのヘッダ情報に格納された取次店データをキーに前記出庫データ群をソートする第２ソート処理ステップと、
前記出庫データ群について第２ソート処理後の出庫データの順番で、出庫データの所定項目内容をピッキングリストとして出力する出力ステップとを実行させることを特徴とするピッキングリスト作成プログラム。
【発明の詳細な説明】
【０００１】
【発明の属する技術分野】
本発明は、出版物の物流システムにおける出庫作業時のピッキングリスト作成システム、ピッキングリスト作成方法及びピッキングリスト作成プログラムに関するものである。
【０００２】
【従来の技術】
出版物の流通システムは、出版社（印刷製本所）から書店、一般顧客までに書籍などの商品が円滑に届くように物流倉庫が中心となって機能するシステムとなっている。
【０００３】
その流通システムについて図２０、２１を参照しながら説明する。なお、出版物の受注には、取次店からの受注（取次受注）、出版ＶＡＮ（Ｖａｌｕｅ−Ａｄｄｅｄ  Ｎｅｔｗｏｒｋ）を経由した取次店からの受注（出版ＶＡＮ受注）、書店から直接の受注（書店受注）、取次店または書店からのまとまった量の受注（一覧表受注）、書店からの電話による受注（電話受注）、取次店からの短冊送付による受注（短冊受注）、電子メールによる受注（テキスト受注）、書店の展示棚の空きを埋めるための受注（補充受注）、一般顧客が書店に所定の書籍を取り寄せる依頼注文に対応した受注（客注）、一般顧客からの直接注文（読者受注、Ｗｅｂ受注）など様々な注文手段や注文形態による受注があるが、ここでは最も典型的な例である書店からの注文に基いて取次店が発注した場合（書店情報あり受注）について説明する。
【０００４】
出版社から配本予定の商品情報が物流倉庫に提供される（ｓ１）。その後、印刷製本所にて商品の印刷製本が完了すると、出版社から配本情報が提供される（ｓ２）とともに、印刷製本所から商品が搬入され、物流倉庫にて入庫作業が行われる（ｓ３）。ついで、書店・一般顧客からの注文に基き、取次店から注文を受け（ｓ４）、物流倉庫ではその受注内容に基いた出庫作業が行われる（ｓ５）。さらに、出庫作業が完了した商品荷物はトラックにより取次店に納品され（ｓ６）、その商品はさらに注文した書店に配送されて注文商品の納品が完了する（ｓ７）。
【０００５】
つぎに、上記物流倉庫の作業手順のうち、受注（ｓ４）から納品（ｓ６）までについて従来行われている手順の詳細を図２２を用いて説明する。この場合、数万点にも及ぶ在庫商品の中から複数の取次店、書店から注文された商品をそれぞれ在庫有無を確認した後にピッキングして出庫、納品する必要があるため、商品を在庫する倉庫内の各棚（倉庫棚）に番号付けして商品ごとの所在をその棚番で管理し、出入庫する商品数量をチェックして各商品の在庫量を管理するなど、在庫管理に工夫が施されている。
【０００６】
まず、受注を受けた段階（ｓ９１）で担当者はその受注内容を見て大口注文、小口注文の判断を行う（ｓ９２）。ここでいう受注とは１つの取次店からの１つの書店向けの注文とする。また、大口注文とは１つの受注の商品量がダンボールケース（以下、ケースという）１つ以上必要となる程度の所定量以上の受注であり、小口受注とは１つの受注の商品量が１つのケースを満たさない少量の受注のことである。
【０００７】
担当者はステップｓ９２の判断に基いて、大口、小口に区分して受注明細を受注データとして入力する（ｓ９３）。
ついで、所定のタイミングでピッキングリストを生成させ、その内容をプリンタにより出力させる（ｓ９４、９７）。ステップｓ９４では、１つの受注明細に対応した商品明細を１つのピッキングリストとし、そのピッキングリストが大口受注として入力された順番で出力されている。ステップｓ９７では、１つの取次店からの複数の受注明細に対応した商品明細を１つのピッキングリストとし、そのピッキングリストが小口受注として入力された順番で出力されている。なお、所定のタイミングとは出荷のタイミングから逆算されて決められるタイミングであり、通常は１日の中に午前に１回、午後に１回の頻度で行われる。
【０００８】
大口受注用ピッキングリストの場合（ｓ９４）、倉庫作業者はそのピッキングリストに基いて倉庫棚に在庫されている対象商品をピックアップして（ｓ９５）、その商品を発注元である取次店から支給されているケースに収納して荷造りする（ｓ９６）。取次店によってはケース支給がない場合があるが、その場合には商品を１つのケースに収納する程度の量にまとめて紐で結束して荷造りする。これを結束と称する。なお、荷作り作業とともに搬入先ごと（取次店ごと）に用意したパレット上に荷造りが完了したケースまたは結束を積んでいく。
【０００９】
小口受注用ピッキングリストの場合（ｓ９７）、そのピッキングリストの明細に対応した商品（書籍）ごとの短冊がプリンタから出力され（ｓ９８）、倉庫作業者はそのピッキングリストに基いて倉庫棚に在庫されている対象商品をピックアップ（ｓ９９）した後、その商品ごとにステップｓ９８で出力された短冊を差し込む（ｓ９ａ）。ここで、短冊とは小口受注の場合に各商品に付けられる荷札のような識別票であり、商品が流通する段階で活用され、商品が書店に到着した段階でその短冊は商品から取り出される。
ついで、短冊が差し込まれた商品を発注元である取次店から支給されているバケットに収納して荷造りする（ｓ９ｂ）。バケットとは、所定量の商品を収納することのできる樹脂製の容器のことである。取次店によってはバケット支給がない場合があるが、その場合には商品を１つのケースに収納する程度の量にまとめて紐で結束して荷造りする。なお、荷作り作業とともに搬入先ごと（取次店ごと）に用意したパレット上に荷造りが完了したバケットまたは結束を積んでいく。
上記大口受注用、小口受注用ピッキングリストすべてについて荷造りし、すべてのケース、バケット、結束がパレット上に積載されることによって出庫作業は終了する。
【００１０】
ついで、搬入先ごとに配車されたトラックに該当するケース、バケット、結束が積載されたパレットを荷積みし（ｓ９ｃ）、所定の取次店に配送して荷降ろしすることによって納品が完了する（ｓ９ｄ）。
【００１１】
なお、最近では、出庫作業中のピッキング作業において多種の出版物をピッキングする際に計量しながら検品することによって、数量の過不足を見過ごすことが無くピッキングミスを減少させピッキングの効率化が図られた出版物のピッキングシステムも提案されている（例えば、特許文献１、２参照。）。
【００１２】
【特許文献１】
特開平８−１９８４１６号公報
【特許文献２】
特開平９−２６３３１１号公報
【００１３】
【発明が解決しようとする課題】
しかしながら、このようなシステムはピッキング作業単体では効率的であっても、出庫作業全体、流通システム全体の視点が欠けており、結果的には従来の流通システムが抱える非効率な問題が残っていた。
すなわち、出庫作業の最後で荷造りされた荷物をパレット上に積載するとき、トラックにケース、バケット、結束が積載されたパレットを荷積みするとき、納品を受けた取次店における各書店への荷物の振り分け作業のときなどに発生する非効率な問題である。以下に、それぞれの場合の問題点を説明する。
【００１４】
大口受注に対応する場合における問題について図２２に示した各手順それぞれの状態の詳細を示しながら説明する。
図２３〜２６は受注入力直後（ｓ９３）からトラックへの荷積みの段階（ｓ９ｃ）までの各段階の状態を示す概略図である。
図２３は、ステップｓ９３の受注入力直後の入力された受注明細Ｔ９１が入力された順番で受注データベース９３ｂに保存されている状態を示している。つぎにステップｓ９４で、図２４に示すようにこの受注明細Ｔ９１に基いたピッキングリストＬ９１〜Ｌ９５が出力される。この場合のピッキングリストの出力順は入力された順番であり、１受注ごとにピッキングリストが生成されている。
つぎに、ステップｓ９５においてピッキングリストＬ９１〜Ｌ９５の順番でピッキング作業が行われ、それと同時進行の形でステップｓ９６においてピッキングリストＬ９１〜Ｌ９５の順番で荷造り作業が行われる。その状態を図２５に示す。ここでは便宜上ケースによる荷造り状態を示しているが、結束の場合でも同様である。つぎに、荷造り作業の最後に荷造りされたケースが順次パレット上に積載されていく。
【００１５】
この場合に、ケースが出来上がる順番そのままにパレット上に積載していくと、図２６に示すように、同じ取次店Ａ向けのケース（Ｃ９１、Ｃ９３〜Ｃ９５）が２つのパレットに分かれて積載されるようになってしまうため、そのまま荷積みすると輸送効率が悪くなってしまっていた。このように受注入力順番がそのまま出庫順番に反映される状態であった。
【００１６】
このような状態にならない様に、実際には担当者が受注入力する段階（ｓ９３）で取次店ごとにある程度まとめて入力するようにしていたが、おのずと限界があった。また、出庫作業の現場においても荷造りされる状況を見ながら、できるだけ同一取次店向けのケースを同一パレットに積載するように作業を行っていたが、出庫作業現場での荷物の渋滞や他の取次店向けの荷物が混入する事故の発生原因となっていた。また、同じ取次店Ａ向けのケースが貯まるのを待ち、さらに取次店Ｂ向けのケースが貯まるのを待つようになるとそのためのパレットを置くスペースが必要になり出庫作業現場を広く取る必要もあった。
【００１７】
また、この出庫順でパレットＰ９１〜Ｐ９３が掃出されると、トラックへの荷積みは取次店別に配車されているため、荷積み作業も煩雑なものとなっていた。
【００１８】
さらに、ケースの場合、取次店ではそのケースの状態のままで書店へ発送するため、納品されたケースをその取次店から書店への発送ルート別に区分けして荷物をまとめている。そのような体制下で、例えば取次店Ａは図２６のパレットＰ９１、Ｐ９３の状態で納品を受けると、納品書を見ながらパレットＰ９３の中では書店イ向けのケースＣ９４、Ｃ９５と書店ハ向けのケースＣ９３とに区分けする必要があり、書店イ向けについてはさらに別のパレットＰ９１のケースＣ９１と合わせる作業も必要であるなど取次店における煩雑な作業が発生し、物流全体として非効率的な部分であった。
【００１９】
なお、大口受注と小口受注との判別は、受注した商品の冊数を基に商品のサイズが考慮されて行われており、もっぱら担当者の経験的な判断によっていた。したがって、例えば書籍サイズの大きな百科辞典であれば３冊程度の受注であっても物流倉庫側の担当者はケース１つ分に相当するとして大口受注と判断して入力指示し、ケースで納品したとしても取次店側では小口扱いとしてわざわざケースから取り出してほかの小口向けとしてきた商品と一緒にするという余分な作業が発生することが多々あった。また、最悪の場合には取次店におけるデータ管理上、納品データとアンマッチの状態となり、返品されてしまう問題もあった。
【００２０】
つぎに、小口受注に対応する場合における問題について図２２に示した各手順それぞれの状態の詳細を示しながら説明する。
図２７〜２９は受注入力直後（ｓ９３）からトラックへの荷積みの段階（ｓ９ｂ）までの各段階の状態を示す概略図である。
図２７は、ステップｓ９３の受注入力直後の入力された受注明細Ｔ９２が入力された順番で受注データベース９３ｂに保存されている状態を示している。つぎにステップｓ９７で、図２８に示すようにこの受注明細Ｔ９２に基いたピッキングリストＬ９６〜Ｌ９８が出力される。この場合、受注明細が入力された順番で、取次店ごとに受注明細がまとめられた上でピッキングリストが順番に生成されている。つぎに、ステップｓ９９においてピッキングリストＬ９６〜Ｌ９８の順番でピッキング作業が行われ、それと同時進行の形でピッキングリストＬ９６〜Ｌ９８の順番でステップｓ９ａの短冊差し込み、ステップｓ９ｂの荷造り作業が行われる。その状態を図２９に示す。
【００２１】
この場合に、同じ取次店Ａ向けの商品ｂが２つのバケットに分かれて収納されてしまうため、そのままパレットに積載して荷積みすると輸送効率が悪くなってしまっていた。このように受注入力順番がそのまま出庫順番に反映される状態は大口受注の場合と同様であり、それによって生じる問題も同様であった。
【００２２】
ここで、一般顧客から書店（ほ）へ取り寄せ注文した場合（客注）を考えると、従来、客注品Ｏは少量の注文であり、かつ商品に短冊を差し込んでおく必要があることから小口受注の中に含められているため、図２９のようにバケットＢ９３の中に収納されていた。
バケットの場合、取次店では納品されたバケットの中の商品ｂを書店別に区分けしてまとめた上で書店へ発送している関係上、１回の納品で１つの書店向けの商品が所定量にまとまらない場合には、所定量に達するまでその取次店で留め置かれることになっていた。したがって、この客注品Ｏも書店への納品に日数を要する場合が多々発生し、一般顧客がその客注品Ｏをできるだけ早く入手したいために書店へ取り寄せ注文する事情と矛盾する状態であった。
【００２３】
本発明は、以上の従来技術における問題に鑑みてなされたものであり、出版物の物流倉庫における出庫作業の効率化だけではなく、物流システム全体の効率化も可能にするピッキングリスト作成システム、ピッキングリスト作成方法及びピッキングリスト作成プログラムを提供することを目的とする。
【００２４】
【課題を解決するための手段】
前記課題を解決するために提供する請求項１の発明に係るピッキングリスト作成システムは、出版社、取次店との間で通信可能にネットワーク回線に接続されたメインＣＰＵと、当該ＣＰＵとデータ送受信可能に接続され取次店からの注文出版物の書誌情報と注文部数情報とを含む特定書店向け受注明細データが格納される受注データベースと、出版社から提供される出版物の書誌情報と科目データとの組み合せデータを有する書誌データが格納される書誌マスタと、出版物の科目ごとの係数データが格納された基準冊数テーブルと、所定の閾値データが格納された出庫マスタとが格納されているメモリと、前記ＣＰＵからデータ受信してピッキングリストを出力する出力装置とを備え、前記ＣＰＵは、前記受注データベースに格納された１受注明細データ内の注文出版物の書誌情報から前記書誌マスタに格納された種目データを特定し、その科目データに基いて前記基準冊数テーブルに格納された係数データを特定し、その係数データと前記注文出版物の注文部数とを乗じて換算冊数を算出し、当該１受注明細データ内の換算冊数の総和を求めさせ、当該換算冊数の総和と前記出庫マスタに格納された所定の閾値との大小関係を比較し、換算冊数の総和が当該閾値より大の場合に判定対象の受注明細データ単独での荷造り指示を前記出力装置に表示させることを特徴とする。
【００２５】
このシステムにより、作成されたピッキングリストに基いて荷造りされた荷物は客観的に大口受注と小口受注とに区分されたものとなる。
なお、換算冊数の総和が上記所定の閾値より大の場合には大口受注と判定し、換算冊数の総和が当該閾値以下の場合には小口受注と判定させればよい。これによって、適正な商品量のかたまりで荷造りが可能となる。
ここで、出力装置とは所定の書式と指示内容とを書類として印刷するプリンタであるが、その書式及び指示内容をＣＲＴや液晶などの画面上に表示する画像表示装置としてもよい。
また、上記閾値は大口受注用に使用される梱包容器の容量から設定すればよい。
【００２６】
前記課題を解決するために提供する請求項２の発明に係るピッキングリスト作成システムは、出版社、取次店との間で通信可能にネットワーク回線に接続されたメインＣＰＵと、当該ＣＰＵとデータ送受信可能に接続され取次店からの注文出版物の書誌情報と注文部数情報とを含む特定書店向け受注明細データが格納される受注データベースと、注文出版物の搬入先となる取次店データが格納される搬入先マスタと、書店データと取次店からの当該書店への発送ルートデータが格納された書店マスタと、出版社から提供される出版物の書誌情報と科目データとの組み合せデータを有する書誌データが格納される書誌マスタと、出版物の科目ごとの係数データが格納された基準冊数テーブルと、所定の閾値データが格納された出庫マスタとが格納されているメモリと、前記ＣＰＵからデータ受信してピッキングリストを出力する出力装置とを備え、前記ＣＰＵは、前記受注データベースに格納された１受注明細データ内の注文出版物の書誌情報から前記書誌マスタに格納された種目データを特定し、その科目データに基いて前記基準冊数テーブルに格納された係数データを特定し、その係数データと前記注文出版物の注文部数とを乗じて換算冊数を算出し、１受注明細データ内の換算冊数の総和を求めさせ、当該換算冊数の総和と前記所定の閾値との大小関係を比較し、換算冊数の総和が当該閾値より大の場合には大口受注と判定し、換算冊数の総和が当該閾値以下の場合には小口受注と判定させ、前記受注明細データに前記受注判定データと所定データとをヘッダ情報として付加した出庫データを生成させ、前記出庫データが複数集合してなる出庫データ群について、それぞれの出庫データのヘッダ情報に格納された前記受注判定データから、大口受注の出庫データ群と小口受注の出庫データ群とに区分し、前記大口受注に区分された出庫データ群について前記所定データをキーに前記出庫データ群をソートし、前記大口受注に区分された出庫データ群について前記ソート処理後の出庫データの順番で、出庫データの所定項目内容をピッキングリストとして前記出力装置に表示させることを特徴とする。
【００２７】
このシステムにより、作成されたピッキングリストに基いて荷造りされた荷物は客観的に大口受注と小口受注とに区分された上で、物流システム全体の効率化が可能なピッキングリストを生成することができる。なお、小口受注に区分された出庫データ群についても上記ソート処理及びピッキングリストの出力を実行するようにしてもよい。
ここで、所定データをキーにしたソートとは、例えば、取次店データをキーにしたソート処理、換算冊数の大きい順番のソート処理、発送ルート順のソート処理であり、それぞれ単独の処理としてもよいし、それぞれを適宜選択して組み合せた処理としてもよい。
【００２８】
前記課題を解決するために提供する請求項３の発明に係るピッキングリスト作成システムは、出版社、取次店との間で通信可能にネットワーク回線に接続されたメインＣＰＵと、当該ＣＰＵとデータ送受信可能に接続され取次店からの注文出版物の書誌情報と注文部数情報とを含む特定書店向け受注明細データが格納される受注データベースと、注文出版物の搬入先となる取次店データが格納される搬入先マスタと、書店データと取次店からの当該書店への発送ルートデータが格納された書店マスタと、出版社から提供される出版物の書誌情報と科目データとの組み合せデータを有する書誌データが格納される書誌マスタと、出版物の科目ごとの係数データが格納された基準冊数テーブルと、所定の閾値データが格納された出庫マスタとが格納されているメモリと、前記ＣＰＵからデータ受信してピッキングリストを出力する出力装置とを備え、前記ＣＰＵは、前記受注データベースに格納された短冊出力ありの注文出版物データを含む大口受注の受注明細データに、注文してきた取次店データと短冊出力一部有無データとをヘッダ情報として付加した出庫データを生成し、前記出庫データが複数集合してなる出庫データ群について、それぞれの出庫データのヘッダ情報に格納された短冊出力一部ありをキーに前記出庫データ群をソートし、それぞれの出庫データのヘッダ情報に格納された取次店データをキーに前記出庫データ群をソートし、前記出庫データ群についてソート処理後の出庫データの順番で、出庫データの所定項目内容をピッキングリストとして前記出力装置に表示させることを特徴とする。
【００２９】
このシステムにより、作成されたピッキングリストに基いた荷造りをすると、一般顧客の客注品について短時間での入手希望に確実に対応することができる。なお、大口受注の受注明細データに含まれた短冊出力ありの注文出版物とは客注品のことであり、ケースなどの荷物などに貼り付けられるラベル、荷物とともに送付される出荷明細書に客注品が含まれていることを表示すればよい。
【００３０】
前記課題を解決するために提供する請求項４の発明に係るピッキングリスト作成方法は、取次店からの注文出版物の書誌情報とその注文出版物の注文部数情報とを含む特定書店向け受注明細データを利用して、物流倉庫の在庫出版物の中から取次店別で前記注文出版物のピックアップを指示するピッキングリスト作成方法において、前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求めるステップと、当該換算冊数の総和と所定の閾値との大小関係を比較するステップと、前記換算冊数の総和が当該閾値より大の場合には判定対象の受注明細データ単独での荷造り指示を表示させるステップとを有することを特徴とする。
【００３１】
この方法により、作成されたピッキングリストに基いて荷造りされた荷物は客観的に大口受注と小口受注とに区分することができる。
なお、換算冊数の総和が上記所定の閾値より大の場合には大口受注と判定し、換算冊数の総和が当該閾値以下の場合には小口受注と判定させればよい。これによって、適正な商品量のかたまりで荷造りが可能となる。
【００３２】
前記課題を解決するために提供する請求項５の発明に係るピッキングリスト作成方法は、取次店からの注文出版物の書誌情報とその注文出版物の注文部数情報とを含む特定書店向け受注明細データを利用して、物流倉庫の在庫出版物の中から取次店別で前記注文出版物のピックアップを指示するピッキングリスト作成方法において、前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求める換算冊数演算ステップと、前記換算冊数の総和と所定の閾値との大小関係を比較し、換算冊数の総和が当該閾値より大の場合には大口受注と判定し、換算冊数の総和が当該閾値以下の場合には小口受注と判定する受注判定ステップと、前記受注明細データに前記受注判定データと所定データとをヘッダ情報として付加した出庫データを生成する出庫データ生成ステップと、前記出庫データが複数集合してなる出庫データ群について、それぞれの出庫データのヘッダ情報に格納された前記受注判定データから、大口受注の出庫データ群と小口受注の出庫データ群とに区分するステップと、前記大口受注に区分された出庫データ群について前記所定データをキーに前記出庫データ群をソートするソート処理ステップと、前記大口受注に区分された出庫データ群について前記ソート処理後の出庫データの順番で、出庫データの所定項目内容をピッキングリストとして出力する出力ステップとを有することを特徴とする。
【００３３】
この方法により、作成されたピッキングリストに基いて荷造りされた荷物は客観的に大口受注と小口受注とに区分した上で、物流システム全体の効率化が可能なピッキングリストを生成することができる。なお、小口受注に区分された出庫データ群についても上記ソート処理及びピッキングリストの出力を実行するようにしてもよい。
【００３４】
上記所定データをキーにしたソートに関する２つの具体例を以下に示す。なお、いずれも上記受注判定ステップまでは同様であるため、それ以降のステップを示す。
（具体例１）
前記受注明細データに前記換算冊数の総和データと前記受注判定データと注文してきた取次店データとをヘッダ情報として付加した出庫データを生成する出庫データ生成ステップと、
前記出庫データが複数集合してなる出庫データ群について、それぞれの出庫データのヘッダ情報に格納された前記受注判定データから、大口受注の出庫データ群と小口受注の出庫データ群とに区分する第１ソート処理ステップと、
前記大口受注に区分された出庫データ群について換算冊数の大きい順番に前記出庫データ群をソートする第２ソート処理ステップと、
それぞれの出庫データのヘッダ情報に格納された取次店データをキーに前記出庫データ群をソートする第３ソート処理ステップと、
前記出庫データ群について第３ソート処理後の出庫データの順番で、出庫データの所定項目内容をピッキングリストとして出力する出力ステップとする。
【００３５】
この方法によれば、作成されたピッキングリストに基いて荷造りされた荷物をその順番のままパレット上に積載するだけで最小のパレット数で、余分な荷造り作業スペースを必要とせずに効率的な荷造り作業が可能となる。また、引き続き取次店ごとにかたまって出庫可能なパレットが出てくることからトラックに荷物（ケース、バケット、結束）が積載されたパレットを荷積みするときも効率的となる。さらに、冊数の大きなかたまりの順番でトラックに荷積みできるので、荷台への収納効率も向上する。
【００３６】
（具体例２）
前記受注明細データに、前記受注判定データと注文してきた取次店データと当該取次店から提供された前記特定書店データと当該取次店から当該特定書店への発送ルートデータとをヘッダ情報として付加した出庫データを生成する出庫データ生成ステップと、
前記出庫データが複数集合してなる出庫データ群について、それぞれの出庫データのヘッダ情報に格納された前記受注判定データから、大口受注の出庫データ群と小口受注の出庫データ群とに区分する第１ソート処理ステップと、
前記大口受注に区分された出庫データ群について、それぞれの出庫データのヘッダ情報に格納された発送ルートをキーにソートする第２ソート処理ステップと、
それぞれの出庫データのヘッダ情報に格納された取次店データをキーに前記出庫データ群をソートする第３ソート処理ステップと、
前記出庫データ群について第３ソート処理後の出庫データの順番で、出庫データの所定項目内容をピッキングリストとして出力する出力ステップとする。
【００３７】
この方法によれば、作成されたピッキングリストに基いて荷造りされた荷物をその順番のままパレット上に積載するだけで取次店ごとにかたまって出庫可能なパレットが出てくるだけではなく、取次店への納品後においても取次店における発送ルート別の荷物区分け作業も非常に簡便となり、物流全体として効率化が図れる。
なお、本発明は大口受注、小口受注いずれでも適用可能である。また、発送ルートはコード化してそのコード記号、番号でソートするようにするとよい。
さらに、具体例１の発明と具体例２の発明とを組み合せて、発送ルート順のソート処理の前に換算冊数の大きい順番のソート処理を行ってもよい。
【００３８】
前記課題を解決するために提供する請求項６の発明に係るピッキングリスト作成方法は、取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリスト作成方法において、前記特定書店からの客注品がある場合、前記取次店を経由してそのまま当該特定書店に配送される荷物となる受注明細データに短冊出力ありの注文出版物データを追加して入力するステップと、前記受注明細データに、注文してきた取次店データと短冊出力一部有無データとをヘッダ情報として付加した出庫データを生成する出庫データ生成ステップと、前記出庫データが複数集合してなる出庫データ群について、それぞれの出庫データのヘッダ情報に格納された短冊出力一部ありをキーに前記出庫データ群をソートする第１ソート処理ステップと、それぞれの出庫データのヘッダ情報に格納された取次店データをキーに前記出庫データ群をソートする第２ソート処理ステップと、前記出庫データ群について第２ソート処理後の出庫データの順番で、出庫データの所定項目内容をピッキングリストとして出力する出力ステップとを有することを特徴とする。
【００３９】
この方法により、作成されたピッキングリストに基いた荷造りをすると、一般顧客の客注品について短時間での入手希望に確実に対応することができる。
なお、ケースなどの荷物などに貼り付けられるラベル、荷物とともに送付される出荷明細書に客注品が含まれていることを表示すればよい。
【００４０】
前記課題を解決するために提供する請求項７の発明に係るピッキングリスト作成プログラムは、ＣＰＵに取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリストを作成させるピッキングリスト作成プログラムにおいて、前記ＣＰＵに、前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求めるステップと、当該換算冊数の総和と所定の閾値との大小関係を比較するステップと、前記換算冊数の総和が当該閾値より大の場合には判定対象の受注明細データ単独での荷造り指示を表示させるステップとを実行させることを特徴とする。
【００４１】
このプログラムにより、作成されたピッキングリストに基いて荷造りされた荷物は客観的に大口受注と小口受注とに区分されたものとなる。
【００４２】
前記課題を解決するために提供する請求項８の発明に係るピッキングリスト作成プログラムは、ＣＰＵに取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリストを作成させるピッキングリスト作成プログラムにおいて、前記ＣＰＵに、前記受注明細データ内の注文出版物の書誌情報から種目データを特定し、その科目データに基いて特定される係数データと前記注文出版物の注文部数とを乗じて換算冊数を算出し、当該受注明細データ内の換算冊数の総和を求める換算冊数演算ステップと、前記換算冊数の総和と所定の閾値との大小関係を比較し、換算冊数の総和が当該閾値より大の場合には大口受注と判定し、換算冊数の総和が当該閾値以下の場合には小口受注と判定する受注判定ステップと、前記受注明細データに前記受注判定データと所定データとをヘッダ情報として付加した出庫データを生成する出庫データ生成ステップと、前記出庫データが複数集合してなる出庫データ群について、それぞれの出庫データのヘッダ情報に格納された前記受注判定データから、大口受注の出庫データ群と小口受注の出庫データ群とに区分するステップと、前記大口受注に区分された出庫データ群について前記所定データをキーに前記出庫データ群をソートするソート処理ステップと、前記大口受注に区分された出庫データ群について前記ソート処理後の出庫データの順番で、出庫データの所定項目内容をピッキングリストとして出力する出力ステップとを実行させることを特徴とする。
【００４３】
このプログラムにより、作成されたピッキングリストに基いて荷造りされた荷物は客観的に大口受注と小口受注とに区分された上で、物流システム全体の効率化が可能なピッキングリストを生成することができる。なお、小口受注に区分された出庫データ群についても上記ソート処理及びピッキングリストの出力を実行するようにしてもよい。
ここで、所定データをキーにしたソートとは、例えば、取次店データをキーにしたソート処理、換算冊数の大きい順番のソート処理、発送ルート順のソート処理であり、それぞれ単独の処理としてもよいし、それぞれを適宜選択して組み合せた処理としてもよい。
【００４４】
前記課題を解決するために提供する請求項９の発明に係るピッキングリスト作成プログラムは、ＣＰＵに取次店からの注文出版物の書誌情報とその注文出版物の注文部数情報とを含む特定書店向け受注明細データを利用して、物流倉庫の在庫出版物の中から取次店別で前記注文出版物のピックアップと荷造りとを指示するピッキングリストを作成させるピッキングリスト作成プログラムにおいて、前記ＣＰＵに、短冊出力ありの注文出版物データを含む大口受注の受注明細データに、注文してきた取次店データと短冊出力一部有無データとをヘッダ情報として付加した出庫データを生成する出庫データ生成ステップと、前記出庫データが複数集合してなる出庫データ群について、それぞれの出庫データのヘッダ情報に格納された短冊出力一部ありをキーに前記出庫データ群をソートする第１ソート処理ステップと、それぞれの出庫データのヘッダ情報に格納された取次店データをキーに前記出庫データ群をソートする第２ソート処理ステップと、前記出庫データ群について第２ソート処理後の出庫データの順番で、出庫データの所定項目内容をピッキングリストとして出力する出力ステップとを実行させることを特徴とする。
【００４５】
このプログラムにより、作成されたピッキングリストに基いた荷造りをすると、一般顧客の客注品について短時間での入手希望に確実に対応することができる。
なお、大口受注の受注明細データに含まれた短冊出力ありの注文出版物とは客注品のことであり、ケースなどの荷物などに貼り付けられるラベル、荷物とともに送付される出荷明細書に客注品が含まれていることを表示すればよい。
【００４６】
【発明の実施の形態】
以下に、本発明に係るピッキングリスト作成システムの一実施の形態における構成について図面を参照して説明する。
図１は、本発明に係るピッキングリスト作成システムの一実施の形態におけるシステム構成図である。
図１に示すように、ピッキングリスト作成システムは、ピッキング生成プログラム１が格納され、出版社、出版ＶＡＮ、取次店、書店との間で通信可能にネットワーク回線Ｎ１に接続されたメインＣＰＵ２と、メインＣＰＵ２とデータ送受信可能に接続され種々のデータが格納されているメモリ３と、メインＣＰＵ２とデータ送受信可能に接続され受注データがキー入力される端末４と、メインＣＰＵ２からデータ受信してピッキングリストを出力するプリンタ５と、メインＣＰＵ２と無線通信機６、７を介してデータ送受信可能に接続され、プリンタ９とバーコードリーダ１０とを有する倉庫側端末８とから構成されている。なお、この構成は最小単位の構成であり、物流倉庫の規模に応じてメインＣＰＵ２、メモリ３、端末４，８、プリンタ５などの増設を行うことが可能である。
【００４７】
メモリ３には、
受注形態の分類データをテーブルとして保有するイベントマスタ３１と、
商品荷物の搬入先である取次店データを保有する搬入先マスタ３２と、
その取次店データと関連付けられた書店データと取次店からの発送ルートデータとを保有する書店マスタ３３と、
配本された商品の各種書誌データを保有する基本書誌マスタ３４と、
その書誌データの種目と関連付けられた基準冊数データを保有する基準冊数テーブル３５と、
イベントごとの短冊出力、出荷明細出力、出荷ラベル出力条件をテーブルとして保有する出荷コントロールマスタ３６と、
物流倉庫の商品在庫データを保有する在庫マスタ３７と、
受注入力画面を関係マスタと接続して表示する受注マスタ３８と、
出庫明細事項データをテーブルとして保有する出庫マスタ３９と、
取次店とケース仕様との関係テーブル、取次店とバケット仕様との関係テーブル、結束仕様とを保有する荷姿仕様マスタ３ａと、
入力された受注データを保有する受注データベース３ｂと、
受注データを基に生成される出庫データを保有する出庫データベース３ｃと、出庫データのソート指示内容データとピッキングリストの書式データとを保有するピッキングリストマスタ３ｄと、
が格納されている。
【００４８】
なお、書店マスタ３３に格納される書店データ及び発送ルートデータはその書店が関係する取次店が設定したデータであり、その取次店からネットワークＮ１を経由して提供される。基本書誌マスタ３４に格納される配本商品の書誌データは出版社によって作成された書誌コード、書名、本体価格、種目、寸法、ページ数などのデータであり、その出版社からネットワークＮ１を経由して提供される。また、在庫マスタ３７には物流倉庫に在庫されている商品ごとに在庫量（部数）、倉庫棚番などのデータが格納されており、商品の入出庫のチェックのたびに更新されている。
【００４９】
つぎに、図２により本発明に係るピッキングリスト作成システムの一実施の形態における受注から納品までの手順を説明する。なお、ここでいう受注とは１つの取次店からの１つの書店向けの注文とする。
まず、受注を受けた段階（ｓ１１）で、その受注内容に関するデータがメインＣＰＵ２に入力される（ｓ１２）。出版ＶＡＮ受注やテキスト受注などネットワークＮ１経由で入ってきた受注に関しては、その受注データが自動的に所定の受注明細データに変換されてメインＣＰＵ２に取り込まれる。それ以外の受注に関しては、オペレータの端末４の操作によって受注データが入力され、その受注データが所定の受注明細データに変換されてメインＣＰＵ２に取り込まれる。入力には端末のキー入力でもよいが、規定の注文書を用いたデジタイザ入力方式が大量受注の処理に適している。ここで、受注マスタ３８により端末４の画面に受注入力メニューが表示された例を図３に示す。入力画面上の各入力部は受注マスタ３８によりメモリ３に格納されている各種データテーブルと直接あるいは間接的につながっており、入力される受注データに基いて受注明細データが確定され、その受注明細データが受注データベース３ｂに保管される。なお、ネットワークＮ１経由で入ってきた受注に関しては画面上に表示されないだけで同様な処理が行われる。
【００５０】
受注明細データの確定は、詳しくは図３においてつぎのように行われる。
イベント入力部１０１はイベントマスタ３１の受注形態の分類データ（受注イベント）テーブルと直接的に接続されており、オペレータが受注内容を確認してイベントの種類を選択することによってイベントが確定する。
取引先コード入力部１０２は搬入先マスタ３２と接続されており、入力される取次先コード番号からその受注に関する取次店データが確定され、その取次店名が表示される。
書店コード入力部１０３は書店マスタ３３と接続されており、入力される書店コード番号からその受注に関する書店データが確定され、地区名や書店名が表示される。また、同時に発送ルート表示部１０４には、確定した書店データに対応する取次店からの発送ルートデータが書店マスタ３３から抽出、確定され、その内容が所定の形式で表示される。
受注商品入力欄１００にて、受注した商品ごとの書誌コード番号、部数、出庫場所が入力され、その結果が書誌コード表示部１０５、受注部数表示部１０６、出庫場所表示部１０７に一覧表形式で表示される。同時に、対象商品の入力された書誌コード番号、部数と在庫マスタ３７に保有されている在庫データとが比較され在庫状態表示部１０９にその結果（在庫有無）が表示される。このとき、商品が在庫されている棚番データを取得しておいてもよい。なお、受注商品入力欄１００では短冊出力指定が可能であり、その入力結果が短冊有無表示部１０７に表示される。ちなみに、客注品はこれを利用して大口受注の明細の中の１つとして短冊出力有り指定で入力される。
したがって、１つの受注明細データは、受注イベント（受注形態）、取次店、書店、取次店からの発送ルート、商品ごとのデータ（書誌コード、書名、部数、出庫場所、在庫有無、棚番、短冊出力指定）などのデータからなる。
【００５１】
上記受注明細データに基き、出庫データを生成する（ｓ１３）。ついで、所定のタイミングでピッキングリストマスタ３ｄに格納されている書式でピッキングリストが生成され、その内容がプリンタ５により出力される（ｓ１４、１９）。ピッキングリストの表示例を図４に示す。例えば、作業名欄に大口受注用作業、小口受注用作業の区分が表示され、短冊出力欄には短冊出力の有無が、取次名欄に取次店名が、番線欄には取次店からの発送ルートに関するコード番号が、書店名欄には書店名が表示され、さらにピッキングすべき商品の所在（倉庫、棚番）、書誌コード、署名、出荷数などが一覧表形式で表示される。
【００５２】
ステップｓ１４では、出力指示によりまず出庫データが大口受注と小口受注とに区分けされ、ついでその大口受注に関する出庫データが所定のソート指示内容に基いてソートされ、そのソート順の出庫データに格納された受注明細（商品明細）がピッキングリストとして順番で出力される。ステップｓ１９では、出力指示によりまず出庫データが大口受注と小口受注とに区分けされ、ついでその小口受注に関する出庫データが所定のソート指示内容に基いてソートされ、そのソート順の出庫データに格納された受注明細（商品明細）のいくつかをまとめて１つのピッキングリストとし、そのピッキングリストがソートされた順番で出力される。
【００５３】
大口受注用ピッキングリストの場合（ｓ１４）、客注品がある場合には短冊がプリンタ９から出力され（ｓ１５）、ついで倉庫作業者はそのピッキングリストに記載されている順番に倉庫棚に在庫されている対象商品をピックアップして（ｓ１６）、客注品にはステップｓ１５で出力された短冊を差し込んだ（ｓ１７）の後に、その商品をケースに収納して、あるいは結束して荷造りする（ｓ１８）。荷造りが完了したピッキングリストについてそのリスト上のバーコードをバーコードリーダ１０でチェックすることによってピッキングリスト上の商品明細は出庫として確定され、在庫マスタ３７の在庫データが更新される。なお、荷作り作業とともに搬入先ごと（取次店ごと）に用意したパレット上に荷造りが完了したケースまたは結束を積んでいく。
【００５４】
小口受注用ピッキングリストの場合（ｓ１９）、そのピッキングリストの明細に対応した商品ごとの短冊がプリンタ９から出力され（ｓ１ａ）、倉庫作業者はそのピッキングリストに基いて倉庫棚に在庫されている対象商品をピックアップ（ｓ１ｂ）した後、その商品ごとにステップｓ１ａで出力された短冊を差し込む（ｓ１ｃ）。ついで、短冊が差し込まれた商品をバケットに収納して、あるいは結束して荷造りする（ｓ１ｄ）。荷造りが完了したピッキングリストについてそのリスト上のバーコードをバーコードリーダ１０でチェックすることによってピッキングリスト上の商品明細は出庫として確定され、在庫マスタ３７の在庫データが更新される。なお、荷作り作業とともに搬入先ごと（取次店ごと）に用意したパレット上に荷造りが完了したバケットまたは結束を積んでいく。
上記大口受注用、小口受注用ピッキングリストすべてについて荷造りし、すべてのケース、バケット、結束がパレット上に積載されることによって出庫作業は終了する。
【００５５】
ついで、搬入先ごとに配車されたトラックに該当するケース、バケット、結束が積載されたパレットを荷積みし（ｓ１ｅ）、所定の取次店に配送して荷降ろしすることによって納品が完了する（ｓ１ｆ）。
【００５６】
つぎに、受注明細データから出庫データを生成する手順について、図５〜図９を参照しながら説明する。なお、図９（ａ）に示すように、生成される出庫データＤ３は受注明細データＤ１に出庫データヘッダＤ２が付加された構造をとる。また、この処理は受注明細データが存在すればいつ行ってもよいが、受注入力に伴って受注明細データが生成されると同時に自動的に行うのがシステムへの負担が小さいので好ましい。
【００５７】
（取次店データ）
まず、メインＣＰＵ２に受注データベース３ｂから１つの受注明細データが取得される（ｓ１００）。取得された受注明細データＤ１は、中に保有している受注イベントデータによって取次店からの受注、ＶＡＮ受注、書店・個人受注に分類され、以降の処理が分かれる（ｓ１０１）。取次店からの受注の場合、取次店データが受注明細データから取り出されて、出庫データヘッダＤ２の取次店データ領域ｄ１に格納される。なお、ここではＶＡＮ受注、書店・個人受注については省略し、以下、取次店からの受注に限定して説明する。
【００５８】
（書店データ、発送ルートデータ）
ついで、受注明細データＤ１は、中に保有する書店データの有無で分類され、以降の処理が分かれる（ｓ１０２）。書店データありの場合、書店データ及び取次店からの発送ルートデータが取り出されて、それぞれ出庫データヘッダＤ２の書店データ領域ｄ２、発送ルートデータ領域ｄ３に格納される。以下、書店データありの場合に限定して説明する。
【００５９】
（大口・小口データ、換算冊数データ）
つぎに、以下の手順で１つの受注明細データに対する大口、小口受注の判定を行う（ｓ１０３）。
（１）商品の書誌コードから基本書誌マスタ３４の書誌データを参照し、商品ごとに種目データを取得する。種目とは商品の種類のことであり、雑誌、百科、書籍、文庫がある。
（２）その種目データに基いて、基準冊数テーブル３５に設定されている種目と基準冊数の関係テーブルからその商品の基準冊数を取得する。基準冊数は商品の容積を統一的に求めるための換算係数であり、種目ごとの商品の平均寸法サイズと標準的なケース１つの容積とから勘案されて設定される。これは、例えばつぎのように設定される。
雑誌＝１、百科＝４、書籍＝１、文庫＝０．２５
なお、基準冊数は種目ごとの商品の平均重量から設定されてもよい。
（３）商品ごとに上記基準冊数と受注部数とを乗じて換算冊数を求め、対象とする受注明細データにおける換算冊数の総和を求める。
（４）上記換算冊数の総和と出庫マスタ３９に設定されている換算冊数閾値とを比較する。この換算冊数閾値は標準的なケース１つの容積に基いて設定されており、例えば１９冊である。
（５）換算冊数の総和が換算冊数閾値より大の場合を大口受注と判定し、換算冊数の総和が換算冊数閾値以下の場合を小口受注と判定する。すなわち、取次店ごとの受注が大口受注であるか、小口受注であるかが梱包手段の容積と１受注明細の商品の容積との関係から客観的に判定できる。
（６）ここで求められた大口受注、小口受注の判定結果と換算冊数の総和とがそれぞれ出庫データヘッダＤ２の大口・小口データ領域ｄ４、換算冊数データ領域ｄ５に格納される。
【００６０】
（短冊出力、出荷ラベル出力、納品明細書出力データ）
つぎに、大口受注と判定され、短冊出力なしの場合（図６）、大口受注と判定され、短冊出力ありの場合（図７）、小口受注と判定された場合（図８）、それぞれは出荷コントロールマスタ３６に設定されている出荷コントロールテーブルに基いて短冊出力、出荷ラベル出力、納品明細書出力の条件が設定される（ｓ１０５、ｓ１０６、ｓ１１１〜ｓ１１３、ｓ１１７）。ここで、出荷ラベルとはケース、あるいはケースに準ずる結束の外側に貼付けして取次店、書店名などを表示するラベルであり、納品明細書はそのケースあるいはケースに準ずる結束とともに送付される納品される商品一覧表である。
【００６１】
具体的には、大口受注と判定され、短冊出力なしの場合（図６）には、短冊出力なし、出荷ラベル出力あり、納品明細書出力ありの条件がそれぞれ出荷データＤ２の短冊出力データ領域ｄ６、出荷ラベル出力データ領域ｄ７、納品明細書出力データ領域ｄ８に格納される（ｓ１０５、ｓ１０６）。
【００６２】
大口受注と判定され、短冊出力ありの場合（図７）には、短冊出力一部あり、出荷ラベル出力あり、納品明細書出力ありの条件がそれぞれ出荷データＤ２の短冊出力データ領域ｄ６、出荷ラベル出力データ領域ｄ７、納品明細書出力データ領域ｄ８に格納される（ｓ１１１〜ｓ１１３）。
【００６３】
小口受注と判定された場合（図８）には、短冊出力あり、出荷ラベル出力なし、納品明細書出力なしの条件がそれぞれ出荷データＤ２の短冊出力データ領域ｄ６、出荷ラベル出力データ領域ｄ７、納品明細書出力データ領域ｄ８に格納される（ｓ１１７）。
【００６４】
（荷姿データ）
つぎに、大口受注と判定され、短冊出力なしの場合（図６）、荷姿仕様マスタ３ａに保有される取次店とケース仕様との関係テーブルにおけるステップｓ１０１で設定された取次店データに該当するケース仕様の有無を判定する（ｓ１０７）。
該当するケース仕様がある場合には、そのケース仕様データが出庫データヘッダＤ２の荷姿データ領域ｄ９に格納される（ｓ１０８）。
該当するケース仕様がない場合には、荷姿仕様マスタ３ａに保有される結束仕様データが出庫データヘッダＤ２の荷姿データ領域ｄ９に格納される（ｓ１１０）。
【００６５】
大口受注と判定され、短冊出力ありの場合（図７）、荷姿仕様マスタ３ａに保有される取次店とケース仕様との関係テーブルにおけるステップｓ１０１で設定された取次店データに該当するケース仕様の有無を判定する（ｓ１１４）。
該当するケース仕様がある場合には、そのケース仕様データが出庫データヘッダＤ２の荷姿データ領域ｄ９に格納される（ｓ１１５）。
該当するケース仕様がない場合には、荷姿仕様マスタ３ａに保有される結束仕様データが出庫データヘッダＤ２の荷姿データ領域ｄ９に格納される（ｓ１１６）。
【００６６】
小口受注と判定された場合（図８）、荷姿仕様マスタ３ａに保有される取次店とバケット仕様との関係テーブルにおけるステップｓ１０１で設定された取次店データに該当するバケット仕様の有無を判定する（ｓ１１８）。
該当するバケット仕様がある場合には、そのバケット仕様データが出庫データヘッダＤ２の荷姿データ領域ｄ９に格納される（ｓ１１９）。
該当するバケット仕様がない場合には、荷姿仕様マスタ３ａに保有される結束仕様データが出庫データヘッダＤ２の荷姿データ領域ｄ９に格納される（ｓ１２０）。
【００６７】
以上の手順を経て、出庫データヘッダＤ２のすべてのデータ領域ｄ１〜ｄ９にデータが格納されると、生成された出庫データヘッダＤ２は最終的に受注明細データＤ１のヘッダとして付加されて出庫データＤ３となり、出庫データベース３ｃに格納される（ｓ１０９）。
【００６８】
ピッキングリストを出力するにあたっては、上記出庫データが用いられてつぎの手順でデータ処理が進行する。
ピッキングリスト出力指示により出庫データヘッダＤ２の大口・小口データ領域ｄ４に格納されているデータ内容が確認され、その内容によって大口受注と小口受注との２つの出庫データ群に区分けされる（ｓ２００）。
【００６９】
ついで区分けされた出庫データ群が所定のソート指示内容に基いてソートされる（ｓ２０１）。ソート指示内容とは、ピッキングリスト出力指示の時点あるいは予め入力された、出庫データのデータ領域項目のいくつかについて所定の条件でソート指示するものである。
【００７０】
ついで、大口受注の場合には、そのソート順の出庫データに対応した受注明細（商品明細）がピッキングリストとして順番で生成される（ｓ２０２）。そのピッキングリストは出庫データヘッダＤ２の各データ領域ｄ１〜ｄ９と受注明細とがピッキングリストマスタ３ｄに格納された書式で生成される。具体的には、図４に示すピッキングリストにおいて、作業名欄に大口・小口データ領域ｄ４に格納されたデータから大口受注用作業、小口受注用作業の区分が表示され、短冊出力欄に短冊出力データ領域ｄ６に格納されたデータから短冊出力の有無が、ラベル欄に出荷ラベル出力データ領域ｄ７に格納されたデータから出力有無が、出荷明細欄に納品明細書出力データ領域ｄ８に格納されたデータから出力有無が、取次名欄に取次店データ領域ｄ１に格納された取次店データが、書店名欄に書店データ領域ｄ２に格納された書店データが、番線欄に発送ルートデータ領域ｄ３に格納されたデータが取次店からの発送ルートに関するコード番号や地名が表示され、さらにピッキングすべき商品の所在（倉庫、棚番）、書誌コード、書名、出荷数などが受注明細データから一覧表形式で表示される。
【００７１】
また、小口受注の場合には、そのソート順の出庫データに対応した受注明細（商品明細）のいくつかをまとめて１つのピッキングリストとし、そのピッキングリストがソートされた順番で出力される（ｓ２０３）。それぞれのピッキングリストの表示のされ方は上記大口受注の場合と同様である。
【００７２】
上記ソート指示内容に基いてソートされた順番に従って荷造りされるため、その荷造りや荷積み作業、さらには取次店納品後の作業の効率化を図ることが可能である。
【００７３】
以下に、ソート指示内容ごとに本発明に係るピッキングリスト作成システムで実施した例を説明する。
（実施例１）
ピッキングリスト出力指示からピッキングリスト出力までの実施例１の手順を図１０に示す。ここでは、大口受注だけを出力指示する場合の手順を示す。なお、ソート指示内容は予め次の内容で設定されているとする。
（ソート指示内容）
第１優先項目：取次店（アルファベット順）
第２優先項目：換算冊数（大きい順）
【００７４】
まず、大口受注用ピッキングリスト出力指示（ｓ２１）により、出庫データベース３ｃに格納されている出庫データヘッダＤ２の大口・小口データ領域ｄ４に格納されているデータ内容が確認され、その内容によって大口受注と小口受注との２つの出庫データ群に区分けされる。
ついで、大口受注の出庫データ群のみがピックアップされ（ｓ２２）、第２優先項目のソート指示内容に基いて出庫データ群がソートされる（ｓ２３）。具体的には、各出庫データヘッドＤ２の換算冊数データ領域ｄ５に格納されているデータに基き換算冊数の大きい順番でソートが行なわれる。
ついで、ステップｓ２３のソート終了後に、つづいて第１優先項目のソート指示内容に基いて出庫データ群がソートされる（ｓ２４）。具体的には、各出庫データヘッドＤ２の取次店データ領域ｄ１に格納されているデータについてアルファベットの順番でソートが行なわれる。
ステップｓ２４が終了すると、各出庫データＤ３からピッキングリストマスタ３ｄに格納されているピッキングリストの書式に対応した表示データが取得されピッキングリストデータが生成される（ｓ２５）。
最後に、ステップｓ２５で生成されたピッキングリストデータの内容がピッキングリストとして、ステップｓ２４終了段階の順番でプリンタ５から出力される（ｓ２６）。
【００７５】
上記手順を実際に適用した場合の出庫データ格納状態、ピッキングリスト出力状態、出庫状態の例を図１１〜図１３を用いて説明する。ここではケース仕様での荷造りとする。
図１１は出庫データベース３ｃにおける出庫データ格納状態を示している。ここでは出庫データ群Ｄ３１は大口受注だけに区分されており、出庫データが受注入力順に並んでいる状態で格納されている。
【００７６】
出庫データ群Ｄ３１について図１０に示した手順でソートし、ピッキングリストを出力した結果を図１２に示す。ピッキングリストＬ１〜Ｌ５の出力順は、図１１の出庫データ群Ｄ３１の入力順とは異なり、まず大きな区分けとして取次店Ａ（Ｌ１〜Ｌ４）、Ｂ（Ｌ５）の順番で出力されており、さらに取次店ＡのピッキングリストＬ１〜Ｌ４が換算冊数の順番で出力されている。
【００７７】
上記ピッキングリストＬ１〜Ｌ５に基いて荷造りすると、図１３に示すように、取次店Ａ、Ｂ向けのケースがそれぞれまとまって、最小必要数のパレットＰに積載されて順番に出庫可能な状態となっており、さらにパレット上の取次店Ａ向けのケースの積載状態として換算冊数の多いケースが優先して積載されている。
【００７８】
このように、図１０のソート指示内容によると、荷造りされた荷物をその順番のままパレット上に積載するだけで最小のパレット数で、余分な荷造り作業スペースを必要とせずに効率的な荷造り作業が可能となる。また、引き続き取次店ごとにかたまって出庫可能なパレットが出てくることからトラックに荷物（ケース、バケット、結束）が積載されたパレットを荷積みするときも効率的となる。さらに、冊数の大きなかたまりの順番でトラックに荷積みできるので、荷台への収納効率も向上する。
【００７９】
なお、ここでは大口受注に限定したが、この手順は小口受注にも適用可能である。また、取次店に関するソート指示内容として、「取扱冊数の多い順」などの優先順位をつけてソートされるようにしてもよい。
【００８０】
（実施例２）
ピッキングリスト出力指示からピッキングリスト出力までの実施例２の手順を図１４に示す。ここでは、大口受注だけを出力指示する場合の手順を示す。なお、ソート指示内容は予め次の内容で設定されているとする。
（ソート指示内容）
第１優先項目：取次店（アルファベット順）
第２優先項目：発送ルート（地区順）
【００８１】
まず、大口受注用ピッキングリスト出力指示（ｓ３１）により、出庫データベース３ｃに格納されている出庫データヘッダＤ２の大口・小口データ領域ｄ４に格納されているデータ内容が確認され、その内容によって大口受注と小口受注との２つの出庫データ群に区分けされる。
ついで、大口受注の出庫データ群のみがピックアップされ（ｓ３２）、第２優先項目のソート指示内容に基いて出庫データ群がソートされる（ｓ３３）。具体的には、各出庫データヘッドＤ２の発送ルートデータ領域ｄ３に格納されているデータに基き地区順でソートが行なわれる。例えば、北海道から九州沖縄までの順番である。
ついで、ステップｓ３３のソート終了後に、つづいて第１優先項目のソート指示内容に基いて出庫データ群がソートされる（ｓ３４）。具体的には、各出庫データヘッドＤ２の取次店データ領域ｄ１に格納されているデータについてアルファベットの順番でソートが行なわれる。
ステップｓ３４が終了すると、各出庫データＤ３からピッキングリストマスタ３ｄに格納されているピッキングリストの書式に対応した表示データが取得されピッキングリストデータが生成される（ｓ３５）。
最後に、ステップｓ３５で生成されたピッキングリストデータの内容がピッキングリストとして、ステップｓ３４終了段階の順番でプリンタ５から出力される（ｓ３６）。
【００８２】
上記手順を実際に適用した場合の出庫データ格納状態、ピッキングリスト出力状態、出庫状態の例を図１５〜図１７を用いて説明する。ここではケース仕様での荷造りとする。
図１５は出庫データベース３ｃにおける出庫データ格納状態を示している。ここでは出庫データ群Ｄ３２は大口受注だけに区分されており、出庫データが受注入力順に並んでいる状態で格納されている。
【００８３】
出庫データ群Ｄ３２について図１４に示した手順でソートし、ピッキングリストを出力した結果を図１６に示す。ピッキングリストＬ６〜Ｌ１３の出力順は、図１５の出庫データ群Ｄ３２の入力順とは異なり、取次店ＡのピッキングリストＬ６〜Ｌ１３が発送ルートの地区の順番で出力されている。ここでは、取次店Ａだけの表示であるが、受注内容によってはこれらのピッキングリストの後にほかの取次店のピッキングリストが続いて出力される。
【００８４】
上記ピッキングリストＬ６〜Ｌ１３に基いて荷造りすると、図１７に示すように、パレット単位で取次店からの発送ルート別にケースが区分けされた状態となる。
【００８５】
このように、図１４のソート指示内容によると、荷造りされた荷物をその順番のままパレット上に積載するだけで取次店ごとにかたまって出庫可能なパレットが出てくるだけではなく、取次店への納品後においても取次店における発送ルート別の荷物区分け作業も非常に簡便となり、物流全体として効率化が図れる。
【００８６】
なお、ここでは大口受注に限定したが、この手順は小口受注にも適用可能である。また、発送ルートはコード化してそのコード記号、番号でソートするようにしてもよい。
さらに、実施例１と実施例２とを組み合せた手順としてもよい。すなわち、図１４の手順において、ステップｓ３３の発送ルート順のソート処理の前に図１０のステップｓ２３の換算冊数の大きい順番のソート処理を行ってもよい。
【００８７】
（実施例３）
ピッキングリスト出力指示からピッキングリスト出力までの実施例３の手順を図１８に示す。ここでは、大口受注だけを出力指示する場合の手順を示す。なお、ソート指示内容は予め次の内容で設定されているとする。
（ソート指示内容）
第１優先項目：取次店（アルファベット順）
第２優先項目：客注品（ありを優先）
【００８８】
まず、大口受注用ピッキングリスト出力指示（ｓ４１）により、出庫データベース３ｃに格納されている出庫データヘッダＤ２の大口・小口データ領域ｄ４に格納されているデータ内容が確認され、その内容によって大口受注と小口受注との２つの出庫データ群に区分けされる。
ついで、大口受注の出庫データ群のみがピックアップされ（ｓ４２）、第２優先項目のソート指示内容に基いて出庫データ群がソートされる（ｓ４３）。具体的には、各出庫データヘッドＤ２の短冊出力データ領域ｄ６に格納されているデータに基き「一部出力あり優先」でソートが行なわれる。大口受注で短冊出力ありとなっている商品が客注品だからである。
ついで、ステップｓ４３のソート終了後に、つづいて第１優先項目のソート指示内容に基いて出庫データ群がソートされる（ｓ４４）。具体的には、各出庫データヘッドＤ２の取次店データ領域ｄ１に格納されているデータについてアルファベットの順番でソートが行なわれる。
ステップｓ４４が終了すると、各出庫データＤ３からピッキングリストマスタ３ｄに格納されているピッキングリストの書式に対応した表示データが取得されピッキングリストデータが生成される（ｓ４５）。
最後に、ステップｓ４５で生成されたピッキングリストデータの内容がピッキングリストとして、ステップｓ４４終了段階の順番でプリンタ５から出力される（ｓ４６）。
【００８９】
上記手順を適用してピッキングリストを出力させると、ピッキングリストの出力順は、まず大きな区分けとして取次店ごとで出力されており、さらにその取次店からの客注品がある場合には各取次店のピッキングリスト群の先頭に客注品が含まれたピッキングリストが出力される。
客注品が含まれたピッキングリストの出力例を図１９に示す。短冊出力欄に「一部有り」が表示され、商品明細一覧のうち、客注品については右側のチャック欄（ＣＫ）に短冊ありを示す「短」が表示されている。倉庫作業者はこのピッキングリストに基き、対象の商品に短冊差し込み作業を行い、ほかの商品とともにケースまたは結束の中に収納される。
【００９０】
ケースが用いられる大口受注の荷物の場合、取次店ではそのケースの状態のままですぐに書店へ発送するため、中に収納された客注品も取次店で滞留することなく、書店に届けられる。これにより、一般顧客の短時間での入手希望に確実に対応することができる。
なお、この手順は短時間での書店への到着を目的とするため大口受注に限定されるものである。また、ケースなどの荷物などに貼り付けられるラベル、荷物とともに送付される出荷明細書に客注品が含まれていることを表示すればよい。
【００９１】
【発明の効果】
請求項１のシステムにより作成されたピッキングリストに基いて荷造りされた荷物は客観的に大口受注と小口受注とに区分されたものとなり、取次店への安定した納品が可能となる。
また、請求項２のシステムにより、作成されたピッキングリストに基いて荷造りされた荷物は客観的に大口受注と小口受注とに区分された上で、物流システム全体の効率化が可能なピッキングリストを生成することができる。
請求項３のシステムにより、作成されたピッキングリストに基いた荷造りをすると、一般顧客の客注品について短時間での入手希望に確実に対応することができる。
【００９２】
請求項４の方法により、作成されたピッキングリストに基いて荷造りされた荷物は客観的に大口受注と小口受注とに区分することができる。
請求項５の方法により、作成されたピッキングリストに基いて荷造りされた荷物は客観的に大口受注と小口受注とに区分した上で、物流システム全体の効率化が可能なピッキングリストを生成することができる。例えば、作成されたピッキングリストに基いて荷造りされた荷物をその順番のままパレット上に積載するだけで取次店ごとにかたまって出庫可能なパレットが出てくるだけではなく、取次店への納品後においても取次店における発送ルート別の荷物区分け作業も非常に簡便となり、物流全体として効率化が図れる。あるいは、作成されたピッキングリストに基いて荷造りされた荷物をその順番のままパレット上に積載するだけで最小のパレット数で、余分な荷造り作業スペースを必要とせずに効率的な荷造り作業が可能となる。また、引き続き取次店ごとにかたまって出庫可能なパレットが出てくることからトラックに荷物（ケース、バケット、結束）が積載されたパレットを荷積みするときも効率的となる。さらに、冊数の大きなかたまりの順番でトラックに荷積みできるので、荷台への収納効率も向上する。
請求項６の方法により、作成されたピッキングリストに基いた荷造りをすると、一般顧客の客注品について短時間での入手希望に確実に対応することができる。
【００９３】
請求項７のプログラムにより作成されたピッキングリストに基いて荷造りされた荷物は客観的に大口受注と小口受注とに区分されたものとなり、取次店への安定した納品が可能となる。
請求項８のプログラムにより、作成されたピッキングリストに基いて荷造りされた荷物は客観的に大口受注と小口受注とに区分した上で、物流システム全体の効率化が可能なピッキングリストを生成することができる。
請求項９のプログラムにより作成されたピッキングリストに基いた荷造りをすると、一般顧客の客注品について短時間での入手希望に確実に対応することができる。
【図面の簡単な説明】
【図１】本発明に係るピッキングリスト作成システムの一実施の形態におけるシステム構成図である。
【図２】本発明に係るピッキングリスト作成システムの一実施の形態における受注から納品までの手順を示すフローチャートである。
【図３】本発明に係るピッキングリスト作成システムの一実施の形態における受注入力画面を示す概略図である。
【図４】本発明に係るピッキングリスト作成システムの一実施の形態におけるピッキングリストの書式を示す図である。
【図５】本発明に係るピッキングリスト作成システムの一実施の形態における出庫データ生成手順を示すフローチャート（１）である。
【図６】本発明に係るピッキングリスト作成システムの一実施の形態における出庫データ生成手順を示すフローチャート（２）である。
【図７】本発明に係るピッキングリスト作成システムの一実施の形態における出庫データ生成手順を示すフローチャート（３）である。
【図８】本発明に係るピッキングリスト作成システムの一実施の形態における出庫データ生成手順を示すフローチャート（４）である。
【図９】本発明に係るピッキングリスト作成システムの一実施の形態における出庫データの構成図である。
【図１０】本発明に係る実施例１のフローチャートである。
【図１１】実施例１における入力された受注データを示す概念図である。
【図１２】実施例１における出力されたピッキングリストの状態を示す概念図である。
【図１３】実施例１における出庫状態を示す概念図である。
【図１４】本発明に係る実施例２のフローチャートである。
【図１５】実施例２における入力された受注データを示す概念図である。
【図１６】実施例２における出力されたピッキングリストの状態を示す概念図である。
【図１７】実施例２における出庫状態を示す概念図である。
【図１８】本発明に係る実施例３のフローチャートである。
【図１９】実施例３におけるピッキングリスト例である。
【図２０】出版物の流通システムの構成を示す概念図である。
【図２１】出版物の流通システムにおける物流倉庫の作業手順を示すフローチャートである。
【図２２】従来の受注から納品までの手順を示すフローチャートである。
【図２３】従来のピッキングリスト作成システムにおける入力された大口用受注データを示す概念図である。
【図２４】従来のピッキングリスト作成システムにおける出力された大口用ピッキングリストの状態を示す概念図である。
【図２５】従来のピッキングリスト作成システムにおける大口用荷造り状態を示す概念図である。
【図２６】従来のピッキングリスト作成システムにおける大口用出庫状態を示す概念図である。
【図２７】従来のピッキングリスト作成システムにおける入力された小口用受注データを示す概念図である。
【図２８】従来のピッキングリスト作成システムにおける出力された小口用ピッキングリストの状態を示す概念図である。
【図２９】従来のピッキングリスト作成システムにおける小口用荷造り状態を示す概念図である。
【符号の説明】
１…プログラム、２…メインＣＰＵ、３…メモリ、４，８…端末、５，９…プリンタ、６，７…無線通信装置、１０…バーコードリーダ、３１…イベントマスタ、３２…搬入先マスタ、３３…書店マスタ、３４…基本書誌マスタ、３５…基本冊数テーブル、３６…出荷コントロールマスタ、３７…在庫マスタ、３８…受注マスタ、３９…出庫マスタ、３ａ…荷姿仕様マスタ、３ｂ、９３ｂ…受注データベース、３ｃ…出庫データベース、３ｄ…ピッキングリストマスタ、Ｎ１…ネットワーク、１００…受注商品入力欄、１０１…イベント入力部、１０２…取引先コード入力部、１０３…書店コード入力部、１０４…発送ルート表示部、１０５…書誌コード表示部、１０６…受注部数表示部、１０７…出庫場所表示部、１０８…短冊有無表示部、１０９…在庫状況表示部、ｂ…商品（書籍）、ｄ１…取次店データ、ｄ２…書店データ、ｄ３…発送ルートデータ、ｄ４…大口小口データ、ｄ５…換算冊数データ、ｄ６…短冊出力設定データ、ｄ７…出荷ラベル出力設定データ、ｄ８…納品明細書出力設定データ、ｄ９…荷姿データ、Ｂ９１〜Ｂ９３…バケット、Ｃ１〜１３，Ｃ９１〜Ｃ９５…ケース、Ｄ１…受注データ、Ｄ２…出庫データヘッダ、Ｄ３…出庫データ、Ｄ３１，Ｄ３２…出庫データ群、Ｌ１〜Ｌ１３，Ｌ９１〜Ｌ９８…ピッキングリスト、Ｐ…パレット、Ｔ９１，Ｔ９２…受注明細テーブル
【図１】
2004161479.tif 000003
【図２】
2004161479.tif 000004
【図３】
2004161479.tif 000005
【図４】
2004161479.tif 000006
【図５】
2004161479.tif 000007
【図６】
2004161479.tif 000008
【図７】
2004161479.tif 000009
【図８】
2004161479.tif 000010
【図９】
2004161479.tif 000011
【図１０】
2004161479.tif 000012
【図１１】
2004161479.tif 000013
【図１２】
2004161479.tif 000014
【図１３】
2004161479.tif 000015
【図１４】
2004161479.tif 000016
【図１５】
2004161479.tif 000017
【図１６】
2004161479.tif 000018
【図１７】
2004161479.tif 000019
【図１８】
2004161479.tif 000020
【図１９】
2004161479.tif 000021
【図２０】
2004161479.tif 000022
【図２１】
2004161479.tif 000023
【図２２】
2004161479.tif 000024
【図２３】
2004161479.tif 000025
【図２４】
2004161479.tif 000026
【図２５】
2004161479.tif 000027
【図２６】
2004161479.tif 000028
【図２７】
2004161479.tif 000029
【図２８】
2004161479.tif 000030
【図２９】
2004161479.tif 000031